(57)【要約】【課題】  ネジ溝の摩滅や破損している「なめたネジ」等とネジ込み体側から取り外すためのビットに関するなめたネジ取り外し用ビットを提供する。【解決手段】  ビット１の先端側には削り面５や曲面６を形成した凹部２と逃げ面３が形成され叩いた力が回転力に変わる構造のインパクトドライバによるネジ溝側への押圧力によりエッジ１６が「なめたネジ」１００のネジ溝３００に喰い込み凹部２がネジ溝３００に押し込まれてカベ１２が形成される。このカベに取り外し用工具を係着することにより「なめたネジ」は容易に取り外し出来る。【選択図】  図１
2014200863.tif 000002
【特許請求の範囲】
【請求項１】
頭部のネジ廻し用溝が摩滅や形崩している「なめたネジ」や錆や固着したネジ等をネジ込み体側から取り外すべく叩いた力が回転力に変わる構造のインパクトドライバに装着されるネジ外し用ビットであって、該ビットは、横断面が六角形の軸の頂部に形成され横断面の角度６０度の頂点位置から延びる縁線の側から見た角度が鋭角で前記縁線の側と直交する平面側から見た角度が鈍角に形成されている先端部に夫々対象に形成されている凹部とこれに連設する逃げ面とを形成するものからなり、前記凹部は、前記縁線に沿って形成される削り面と該削り面の基端から前記平面側に向かって形成される曲面からなり、該曲面の下面側は前記縁線の側に向かって下り傾斜する曲線面を形成するものからなり、前記逃げ面は、先端部に幅狭のフラット面を形成し該フラット面から前記軸の前記平面側に向かって下り傾斜する面を形成するものからなり、前記面の傾斜角は前記鋭角に等しいものからなることを特徴とするなめたネジ取り外し用ビット。
【発明の詳細な説明】
【技術分野】
【０００１】
本発明は、ネジ込み体側にねじ込みされ、その頭部のネジ廻し用溝が摩滅や形崩れや錆や固着しているネジ（以下、「なめたネジ」と称呼する）を前記ネジ込み体側から円滑に、かつ容易に取り外しするに好適ななめたネジ取り外し用ビットに関する。
【背景技術】
【０００２】
ネジ込み体側にねじ込まれたネジは通常はそのままになっている場合もあるが、取り付けや取り外しを数回行うことによりネジ溝が摩滅したり形崩れすることが生ずる。また、ネジ溝の内部に異物が入り錆てしまったり、取付けたネジを長期間放置すると錆等が発生し固着してしまう場合がある。そのために、通常のドライバで円滑に取り外しが出来なくなる問題点が生ずる。この問題点を解決する手段としては図３に示すようにインパクトドライバ２００に装着したビットを用いて「なめたネジ」１００のネジ溝３００をハンマ４００で叩き、打撃を加えてビットに新しいミゾ等を形成し、その后にインパクトドライバ２００により前記ミゾ等を使用して「なめたネジ」１００の取り外しを行う。なお、前記のインパクトドライバ２００は叩いた力が回転力に変わる構造のものからなる。
なお、従来以上の作業に使用されているビットとしては、例えば「特許文献１」に示すものが挙げられる。
【先行技術文献】
【特許文献】
【０００３】
【特許文献１】「特表２００３−５２５７６２号」（図４）
【発明の概要】
【発明が解決しようとする課題】
【０００４】
「特許文献１」の「特表２００３−５２５７６２号」の「破損したねじを除去するためのビット」はその（図１乃至図４等）に示されているが概略図４に示すような構造のものからなる。
【０００５】
このビット１Ａは六角形の軸９の横断面の６０度の頂点から延びる縁線１０の側から見た頂角が鋭角であり、この縁線１０と直交する平面側１１から見た頂角か鈍角（約１４０度）の先端部を有するものからなり、図４（ａ）に示すように縁線１０の側から見た先端側には縁線１０を境にして凹部の削り面１３と逃げ面１４が形成され頂点には鋭くとがったエッジ１５が形成されている。この削り面１３は図示のように平面側１１に向かって下り傾斜する凹部からなり、逃げ面１４はエッジ１５から平面側１１に向かって下り傾斜するフラット面からなる。
【０００６】
一方、図４（ｂ）に示すように削り面１３は２段の削り面１３ａ，１３ｂからなり、平面側１１の中心側に向かって下り傾斜する曲面を形成し、逃げ面１４も中心側に向かって下り傾斜するものからなる。
また、図４（ｃ）に示すように削り面１３及び逃げ面１４は夫々２箇所対象位置に夫々形成されている。
【０００７】
この形状のビット１Ａを前記のインパクトドライバ２００に装着して「なめたネジ」１００にその先端部を押圧すると図５に示すように「なめたネジ」１００のネジ溝３００にエッジ１５が進入すると共に削り面１３や逃げ面１４が作用し結果として図５に示すようにネジ溝３００にミゾ１７が形成される。このミゾ１７に取り外し用工具（図略）を入れることにより「なめたネジ」１００をネジ込み本体（図略）から取り外すことが出来る。
【０００８】
以上の形状ビット１Ａによって「なめたネジ」１００の取り外しは可能であるが、この場合は押圧力が大きく先端部特にエッジ１５の部分を痛める恐れもあり、ミゾ１７の形成や形状が安定しない問題点が生ずる。また、打撃を与えて溝を形成するためネジ込まれている対象物に損傷を与える可能性がある。
【０００９】
本発明は、以上の問題点を解決すべく発明されたものであり、ネジ溝へのカベが比較的容易に、かつ確実に形成され鋭いカベの形成が可能となり、取り外しの容易化が図られるなめたネジ取り外し用ビットを提供することを目的とする。
【課題を解決するための手段】
【００１０】
本発明は、以上の目的を達成するために請求項１の発明は、頭部のネジ廻し用溝が摩滅や形崩している「なめたネジ」や錆や固着したネジ等をネジ込み体側から取り外すべく叩いた力が回転力に変わる構造のインパクトドライバに装着されるネジ外し用ビットであって、該ビットは、横断面が六角形の軸の頂部に形成され横断面の角度６０度の頂点位置から延びる縁線の側から角度が鋭角で前記縁線の側と直交する平面側から見た角度が鈍角に形成されている先端部に夫々対象に形成されている凹部とこれに連設する逃げ面とを形成するものからなり、前記凹部は、前記縁線に沿って形成される削り面と該削り面の基端から前記平面側に向かって形成される曲面からなり、該曲面の下面側は前記縁線の側に向かって下り傾斜する曲線面を形成するものからなり、前記逃げ面は、先端部に幅狭のフラット面を形成し該フラット面から前記軸の前記平面側に向かって下り傾斜する面を形成するものからなり、前記面の傾斜角は前記鋭角に等しいものからなることを特徴とする。
【発明の効果】
【００１１】
本発明の請求項１のなめたネジ取り外し用ビットによれば、本発明のなめたネジ取り外し用ビットは先端にフラット面があるためインパクトドライバによる大きな押圧力に対して先端に損傷が生ずることなく確実にネジ溝に喰い込むことが出来る。また、先端部の凹部には縁線に沿った鋭利な削り面があり、更にこの削り面の基端に縁線の側に向かって下り傾斜する曲線面を有する曲面が形成されているためネジ溝側には図２に示すようなカベ１２が形成され、このカベ１２は図５に示したミゾ１７に較べて取り外し用工具の係着が確実に出来、従来のものに較べて確実に、かつ容易に「なめたネジ」ネジ込み本体側から取り外すことが出来る。
また、逃げ面は鋭角に形成される面からなり押圧時によるカベ１２の形成における切り削り等を円滑に排出することが出来る。以上により、従来のものに較べて確実なネジの取り外しを行うことが出来る効果が上げられる。
【図面の簡単な説明】
【００１２】
【図１】本発明のなめたネジ取り外し用ビットの先端部の構造を示す正面図（ａ），側面図（ｂ），上面図（ｃ）。
【図２】本発明のなめたネジ取り外し用ビットによるネジ溝へのカベ形成の状態を示す模式図。
【図３】インパクトドライバにビットを装置して「なめたネジ」を押圧する状態を示す模式的正面図。
【図４】従来のビットの先端部の構造を示す正面図（ａ），側面図（ｂ），上面図（ｃ）。
【図５】従来のビットによるネジ溝へのミゾ形成の状態を示す模式図。
【発明を実施するための形態】
【００１３】
以下、本発明のなめたネジ取り外し用ビットの実施の形態を図面を参照して詳述する。
このビット１は六角形の軸９の頂部に形成され横断面の角度６０度の頂点位置から延びる縁線１０の側から見た頂角が鋭角でこれと直交する平面側１１から見た頂角が鈍角（約１３０度）のものからなり、頂部に凹部２と逃げ面３とを形成するものからなり、凹部２と逃げ面３とは２箇所対象位置に夫々形成されている。また、先端部には幅狭のフラット面４が形成されている。
【００１４】
凹部２は先端部から縁線１０に沿って適宜の長さだけ形成されている削り面５とこの基端から平面側１１に向かって形成される曲面６からなり、削り面５は鋭いエッジ１６を形成するものからなり、曲面６のその下面側に縁線１０の側に向かって下り傾斜する曲線面７が形成される。
【００１５】
一方、逃げ面３はフラット面４から平面側１１に向かって下り傾斜する面８からなり、この面８の傾斜面は前記鋭角に形成されている。
【００１６】
図１（ｃ）に示すように、以上の構造の凹部２や逃げ面３は夫々対象の位置に２箇所形成されこれ等は互いに連設して形成されている。
【００１７】
以上の構造のビット１をインパクトドライバ２００に装着して「なめたネジ」１００のネジ溝３００に押圧すると凹部２の削り面５やエッジ１６等によりネジ溝３００には図２に示すようなカベ１２が形成される。この際逃げ面３はネジ溝３００に押圧され、カベ１２の形成を助長させる。また、先端部にはフラット面４があるため押圧力が大きくてもビット１の破損は生じ難い。
以上により、従来のビット１Ａ等と異なり、取り外し工具の係着し易いカベ１２が形成され、「なめたネジ」１００の取り外しが容易に出来ることになる。
【００１８】
本発明は、以上の説明の内容からなるが、ビットの形状としては以上の説明の範囲に限定するものではなく、同一技術的範疇のものが適用されることは勿論である。
【産業上の利用可能性】
【００１９】
本発明のビットは各種の「なめたネジ」の取り外しに適用されると共に溝の形態の崩れた取り付け具にも適用され、その利用範囲は広い。
【符号の説明】
【００２０】
１      ビット
２      凹部
３      逃げ面
４      フラット面
５      削り面
６      曲面
７      曲線面
８      面
９      軸
１０    縁線
１１    平面側
１２    カベ
１６    エッジ
１００  なめたネジ
２００  インパクトドライバ
３００  ネジ溝
【図１】
2014200863.tif 000003
【図２】
2014200863.tif 000004
【図３】
2014200863.tif 000005
【図４】
2014200863.tif 000006
【図５】
2014200863.tif 000007